(57)【要約】【課題】装置全体の感性品質を向上させる。【解決手段】リンク機構１６が折畳姿勢から伸長姿勢に変位される途中で、リンク機構１６から駆動モータ５６に作用する負荷が急激に減少し、これに伴い、出力比が急激に増加した場合でも、第一コイルスプリング２８及び第二コイルスプリング２９が上述の出力比の増加に合わせて駆動モータ５６に付与する負荷を増加する。この結果、リンク機構１６が折畳姿勢から伸長姿勢に変位される間、上述の出力比と第一コイルスプリング２８及び第二コイルスプリング２９の負荷との差をほぼ一定にできる。これにより、駆動モータ５６の駆動速度の高まりを抑制し、駆動モータ５６から発せられる駆動音を一定に保つことができる。【選択図】図３
2008230307.tif 000002
【特許請求の範囲】
【請求項１】
駆動力を発生する駆動源、及び、前記駆動源の駆動力を受けて折畳姿勢から伸長姿勢に変位されるリンク機構を有して構成された展開手段と、
前記リンク機構の折畳姿勢から伸長姿勢への変位に伴って展開されるシート状のスクリーンと、
前記スクリーンが展開されるときに前記駆動源に負荷を付与すると共に、前記リンク機構から前記駆動源に作用する負荷に対する前記駆動源の出力の割合を出力比とした場合に、前記出力比の増加に合わせて前記駆動源に付与する負荷を増加するように構成された負荷付与手段と、
を備えたことを特徴とする遮光装置。
【請求項２】
前記スクリーンを巻き取るための巻取部材を備え、
前記負荷付与手段は、
前記巻取部材を前記スクリーンが巻き取られる方向にそれぞれ付勢する第一コイルスプリング及び第二コイルスプリングを有して構成され、
前記第一コイルスプリング及び前記第二コイルスプリングは、前記巻取部材に対し互いに並列に接続されて、前記リンク機構の折畳姿勢から前記折畳姿勢と伸長姿勢との中間姿勢までの第一変位領域よりも、前記リンク機構の前記中間姿勢から前記伸長姿勢までの第二変位領域において強いバネ力を発生することを特徴とする請求項１に記載の遮光装置。
【請求項３】
前記スクリーンを巻き取るための巻取部材を備え、
前記負荷付与手段は、
前記巻取部材を前記スクリーンが巻き取られる方向にそれぞれ付勢する第一コイルスプリング及び第二コイルスプリングを有して構成され、
前記第一コイルスプリングは、前記リンク機構の折畳姿勢から前記折畳姿勢と伸長姿勢との中間姿勢までの第一変位領域においてバネ力を発生し、
前記第二コイルスプリングは、前記第一コイルスプリングよりもバネ定数が高く構成されて、前記リンク機構の前記中間姿勢から前記伸長姿勢までの第二変位領域においてバネ力を発生することを特徴とする請求項１に記載の遮光装置。
【請求項４】
前記スクリーンを巻き取るための巻取部材を備え、
前記負荷付与手段は、
前記巻取部材を前記スクリーンが巻き取られる方向にそれぞれ付勢する第一コイルスプリング及び第二コイルスプリングを有して構成され、
前記第一コイルスプリングは、前記リンク機構の折畳姿勢から伸長姿勢までの第一変位領域においてバネ力を発生し、
前記第二コイルスプリングは、前記リンク機構の前記折畳姿勢と前記伸長姿勢との中間姿勢から前記伸長姿勢までの第二変位領域においてバネ力を発生することを特徴とする請求項１に記載の遮光装置。
【請求項５】
前記スクリーンを巻き取るための巻取部材を備え、
前記負荷付与手段は、
前記巻取部材を前記スクリーンが巻き取られる方向に付勢するコイルスプリングと、
前記リンク機構に設けられたリンク部材を前記スクリーンが展開される方向にそれぞれ付勢する第一アシストスプリング及び第二アシストスプリングと、
を有して構成され、
前記第一アシストスプリング及び前記第二アシストスプリングは、前記リンク部材に対し互いに並列に接続されて、前記リンク機構の折畳姿勢から前記折畳姿勢と伸長姿勢との中間姿勢までの第一変位領域では、前記リンク機構の前記中間姿勢から前記伸長姿勢までの第二変位領域よりも強いバネ力を発生することを特徴とする請求項１に記載の遮光装置。
【請求項６】
前記スクリーンを巻き取るための巻取部材を備え、
前記負荷付与手段は、
前記巻取部材を前記スクリーンが巻き取られる方向に付勢するコイルスプリングと、
前記リンク機構に設けられたリンク部材を前記スクリーンが展開される方向にそれぞれ付勢する第一アシストスプリング及び第二アシストスプリングと、
を有して構成され、
前記第一アシストスプリングは、前記リンク機構の折畳姿勢から前記折畳姿勢と伸長姿勢との中間姿勢までの第一変位領域においてバネ力を発生し、
前記第二アシストスプリングは、前記第一アシストスプリングよりもバネ定数が低く構成されて、前記リンク機構の前記中間姿勢から前記伸長姿勢までの第二変位領域においてバネ力を発生することを特徴とする請求項１に記載の遮光装置。
【請求項７】
前記スクリーンを巻き取るための巻取部材を備え、
前記負荷付与手段は、
前記巻取部材を前記スクリーンが巻き取られる方向に付勢するコイルスプリングと、
前記リンク機構に設けられたリンク部材を前記スクリーンが展開される方向にそれぞれ付勢する第一アシストスプリング及び第二アシストスプリングと、
を有して構成され、
前記第一アシストスプリングは、前記リンク機構の折畳姿勢から前記折畳姿勢と伸長姿勢との中間姿勢までの第一変位領域においてバネ力を発生し、
前記第二コイルスプリングは、前記リンク機構の前記折畳姿勢から前記伸長姿勢までの第二変位領域においてバネ力を発生することを特徴とする請求項１に記載の遮光装置。
【発明の詳細な説明】
【技術分野】
【０００１】
本発明は、遮光装置に係り、特に、リンク機構の折畳姿勢から伸長姿勢への変位に伴ってスクリーンを展開させるように構成された遮光装置に関する。
【背景技術】
【０００２】
従来、この種の遮光装置としては、例えば、次のものが知られている（例えば、特許文献１参照）。この特許文献１に記載の例では、左右一対のリンクアームを備えたリンク機構が設けられている。そして、このリンク機構が展開用バネユニットのバネ力を受けて折畳姿勢から伸長姿勢へ変位され、このリンク機構の折畳姿勢から伸長姿勢への変位に伴ってスクリーンが展開されるようになっている。
【特許文献１】特開２００１−３１１３７５号公報（図１）
【発明の開示】
【発明が解決しようとする課題】
【０００３】
しかしながら、この種のリンク機構の折畳姿勢から伸長姿勢への変位に伴ってスクリーンを展開させるように構成された遮光装置では、リンク機構の構造上、リンク機構が折畳姿勢から伸長姿勢に変位される途中（例えば、ロアリンクの回動角度６０°付近）で、リンク機構から駆動源に作用する負荷が急激に減少する。
【０００４】
そして、この場合には、リンク機構から駆動源に作用する負荷に対する駆動源の出力の割合を出力比とすると、この出力比が急激に増加する。このため、駆動源の駆動速度が急激に高まり、駆動源から発せられる駆動音が急激に高音に変化する。従って、駆動源から発せられる駆動音の変化を防止して、装置全体の感性品質を向上させるためには改良の余地がある。
【０００５】
本発明は、上記問題に鑑みてなされたものであって、その目的は、駆動源から発せられる駆動音の変化を防止して、装置全体の感性品質を向上させることができる遮光装置を提供することにある。
【課題を解決するための手段】
【０００６】
前記課題を解決するために、請求項１に記載の遮光装置は、駆動力を発生する駆動源、及び、前記駆動源の駆動力を受けて折畳姿勢から伸長姿勢に変位されるリンク機構を有して構成された展開手段と、前記リンク機構の折畳姿勢から伸長姿勢への変位に伴って展開されるシート状のスクリーンと、前記スクリーンが展開されるときに前記駆動源に負荷を付与すると共に、前記リンク機構から前記駆動源に作用する負荷に対する前記駆動源の出力の割合を出力比とした場合に、前記出力比の増加に合わせて前記駆動源に付与する負荷を増加するように構成された負荷付与手段と、を備えたことを特徴とする。
【０００７】
請求項１に記載の遮光装置では、駆動源が駆動力を発生すると、この駆動源の駆動力を受けてリンク機構が折畳姿勢から伸長姿勢に変位される。そして、このリンク機構の折畳姿勢から伸長姿勢への変位に伴ってリンク機構が展開される。
【０００８】
ところで、この種のリンク機構の折畳姿勢から伸長姿勢への変位に伴ってスクリーンを展開させるように構成された遮光装置では、リンク機構の構造上、リンク機構が折畳姿勢から伸長姿勢に変位される途中で、リンク機構から駆動源に作用する負荷が急激に減少する。そして、この場合には、リンク機構から駆動源に作用する負荷に対する駆動源の出力の割合を出力比とすると、この出力比が急激に増加する。しかしながら、装置全体の感性品質を向上させるためには、駆動源の駆動速度が急激に高まることを抑制し、駆動源から発せられる駆動音が急激に高音に変化することを防止する必要がある。
【０００９】
この点、請求項１に記載の遮光装置では、スクリーンが展開されるときに駆動源に負荷を付与するための負荷付与手段が設けられており、この負荷付与手段は、上述の出力比の増加に合わせて駆動源に付与する負荷を増加するように構成されている。
【００１０】
従って、上述のように、リンク機構が折畳姿勢から伸長姿勢に変位される途中で、リンク機構から駆動源に作用する負荷が急激に減少し、これに伴い、出力比が急激に増加した場合でも、負荷付与手段が上述の出力比の増加に合わせて駆動源に付与する負荷を増加するので、駆動源の駆動速度の高まりを抑制し、駆動源から発せられる駆動音を一定に保つことができる。
【００１１】
このように、請求項１に記載の遮光装置によれば、駆動源から発せられる駆動音を一定に保つことができるので、駆動源から発せられる駆動音の変化を防止して、装置全体の感性品質を向上させることができる。
【００１２】
請求項２に記載の遮光装置は、請求項１に記載の遮光装置において、前記スクリーンを巻き取るための巻取部材を備え、前記負荷付与手段は、前記巻取部材を前記スクリーンが巻き取られる方向にそれぞれ付勢する第一コイルスプリング及び第二コイルスプリングを有して構成され、前記第一コイルスプリング及び前記第二コイルスプリングは、前記巻取部材に対し互いに並列に接続されて、前記リンク機構の折畳姿勢から前記折畳姿勢と伸長姿勢との中間姿勢までの第一変位領域よりも、前記リンク機構の前記中間姿勢から前記伸長姿勢までの第二変位領域において強いバネ力を発生することを特徴とする。
【００１３】
請求項２に記載の遮光装置では、負荷付与手段は、巻取部材をスクリーンが巻き取られる方向にそれぞれ付勢する第一コイルスプリング及び第二コイルスプリングを有して構成されている。そして、この第一コイルスプリング及び第二コイルスプリングは、巻取部材に対し互いに並列に接続されて、リンク機構の折畳姿勢から折畳姿勢と伸長姿勢との中間姿勢までの第一変位領域よりも、リンク機構の中間姿勢から伸長姿勢までの第二変位領域において強いバネ力を発生する。
【００１４】
この構成によれば、リンク機構が折畳姿勢から伸長姿勢に変位される途中で、リンク機構から駆動源に作用する負荷が急激に減少し、出力比が急激に増加した場合でも、リンク機構の中間姿勢から伸長姿勢までの第二変位領域において増加された第一コイルスプリング及び第二コイルスプリングのバネ力を駆動源に作用させることで、駆動源に付与する負荷を増加させることができる。
【００１５】
請求項３に記載の遮光装置は、請求項１に記載の遮光装置において、前記スクリーンを巻き取るための巻取部材を備え、前記負荷付与手段は、前記巻取部材を前記スクリーンが巻き取られる方向にそれぞれ付勢する第一コイルスプリング及び第二コイルスプリングを有して構成され、前記第一コイルスプリングは、前記リンク機構の折畳姿勢から前記折畳姿勢と伸長姿勢との中間姿勢までの第一変位領域においてバネ力を発生し、前記第二コイルスプリングは、前記第一コイルスプリングよりもバネ定数が高く構成されて、前記リンク機構の前記中間姿勢から前記伸長姿勢までの第二変位領域においてバネ力を発生することを特徴とする。
【００１６】
請求項３に記載の遮光装置では、負荷付与手段は、巻取部材をスクリーンが巻き取られる方向にそれぞれ付勢する第一コイルスプリング及び第二コイルスプリングを有して構成されている。そして、第一コイルスプリングは、リンク機構の折畳姿勢から折畳姿勢と伸長姿勢との中間姿勢までの第一変位領域においてバネ力を発生し、第二コイルスプリングは、第一コイルスプリングよりもバネ定数が高く構成されて、リンク機構の中間姿勢から伸長姿勢までの第二変位領域においてバネ力を発生する。
【００１７】
この構成によれば、リンク機構が折畳姿勢から伸長姿勢に変位される途中で、リンク機構から駆動源に作用する負荷が急激に減少し、出力比が急激に増加した場合でも、第一コイルスプリングよりもバネ定数が高く構成された第二コイルスプリングのバネ力を駆動源に作用させることで、駆動源に付与する負荷を増加させることができる。
【００１８】
請求項４に記載の遮光装置は、請求項１に記載の遮光装置において、前記スクリーンを巻き取るための巻取部材を備え、前記負荷付与手段は、前記巻取部材を前記スクリーンが巻き取られる方向にそれぞれ付勢する第一コイルスプリング及び第二コイルスプリングを有して構成され、前記第一コイルスプリングは、前記リンク機構の折畳姿勢から伸長姿勢までの第一変位領域においてバネ力を発生し、前記第二コイルスプリングは、前記リンク機構の前記折畳姿勢と前記伸長姿勢との中間姿勢から前記伸長姿勢までの第二変位領域においてバネ力を発生することを特徴とする。
【００１９】
請求項４に記載の遮光装置では、負荷付与手段は、巻取部材をスクリーンが巻き取られる方向にそれぞれ付勢する第一コイルスプリング及び第二コイルスプリングを有して構成されている。そして、第一コイルスプリングは、リンク機構の折畳姿勢から伸長姿勢までの第一変位領域においてバネ力を発生し、第二コイルスプリングは、リンク機構の折畳姿勢と伸長姿勢との中間姿勢から伸長姿勢までの第二変位領域においてバネ力を発生する。
【００２０】
この構成によれば、リンク機構が折畳姿勢から伸長姿勢に変位される途中で、リンク機構から駆動源に作用する負荷が急激に減少し、出力比が急激に増加した場合でも、第一コイルスプリングのバネ力に第二コイルスプリングのバネ力を加えた力を駆動源に作用させることで、駆動源に付与する負荷を増加させることができる。
【００２１】
請求項５に記載の遮光装置は、請求項１に記載の遮光装置において、前記スクリーンを巻き取るための巻取部材を備え、前記負荷付与手段は、前記巻取部材を前記スクリーンが巻き取られる方向に付勢するコイルスプリングと、前記リンク機構に設けられたリンク部材を前記スクリーンが展開される方向にそれぞれ付勢する第一アシストスプリング及び第二アシストスプリングと、を有して構成され、前記第一アシストスプリング及び前記第二アシストスプリングは、前記リンク部材に対し互いに並列に接続されて、前記リンク機構の折畳姿勢から前記折畳姿勢と伸長姿勢との中間姿勢までの第一変位領域では、前記リンク機構の前記中間姿勢から前記伸長姿勢までの第二変位領域よりも強いバネ力を発生することを特徴とする。
【００２２】
請求項５に記載の遮光装置では、負荷付与手段は、巻取部材をスクリーンが巻き取られる方向に付勢するコイルスプリングと、リンク機構に設けられたリンク部材をスクリーンが展開される方向にそれぞれ付勢する第一アシストスプリング及び第二アシストスプリングと、を有して構成されている。つまり、この構成では、コイルスプリングのバネ力から第一アシストスプリング又は第二アシストスプリングのバネ力を差し引いた力が駆動源に付与される負荷として作用する。
【００２３】
そして、第一アシストスプリング及び第二アシストスプリングは、リンクに対し互いに並列に接続されて、リンク機構の折畳姿勢から折畳姿勢と伸長姿勢との中間姿勢までの第一変位領域では、リンク機構の中間姿勢から伸長姿勢までの第二変位領域よりも強いバネ力を発生する。
【００２４】
この構成によれば、リンク機構が折畳姿勢から伸長姿勢に変位される途中で、リンク機構から駆動源に作用する負荷が急激に減少し、出力比が急激に増加した場合でも、リンク機構の中間姿勢から伸長姿勢までの第二変位領域では第一アシストスプリング及び第二アシストスプリングのバネ力が弱まるので、この結果、コイルスプリングのバネ力から第一アシストスプリング及び第二アシストスプリングのバネ力を差し引いた力が強まり、この力を駆動源に作用させることで、駆動源に付与する負荷を増加させることができる。
【００２５】
請求項６に記載の遮光装置は、請求項１に記載の遮光装置において、前記スクリーンを巻き取るための巻取部材を備え、前記負荷付与手段は、前記巻取部材を前記スクリーンが巻き取られる方向に付勢するコイルスプリングと、前記リンク機構に設けられたリンク部材を前記スクリーンが展開される方向にそれぞれ付勢する第一アシストスプリング及び第二アシストスプリングと、を有して構成され、前記第一アシストスプリングは、前記リンク機構の折畳姿勢から前記折畳姿勢と伸長姿勢との中間姿勢までの第一変位領域においてバネ力を発生し、前記第二アシストスプリングは、前記第一アシストスプリングよりもバネ定数が低く構成されて、前記リンク機構の前記中間姿勢から前記伸長姿勢までの第二変位領域においてバネ力を発生することを特徴とする。
【００２６】
請求項６に記載の遮光装置では、負荷付与手段は、巻取部材をスクリーンが巻き取られる方向に付勢するコイルスプリングと、リンク機構に設けられたリンク部材をスクリーンが展開される方向にそれぞれ付勢する第一アシストスプリング及び第二アシストスプリングと、を有して構成されている。つまり、この構成では、コイルスプリングのバネ力から第一アシストスプリング又は第二アシストスプリングのバネ力を差し引いた力が駆動源に付与される負荷として作用する。
【００２７】
そして、第一アシストスプリングは、リンク機構の折畳姿勢から折畳姿勢と伸長姿勢との中間姿勢までの第一変位領域においてバネ力を発生し、第二アシストスプリングは、第一アシストスプリングよりもバネ定数が低く構成されて、リンク機構の中間姿勢から伸長姿勢までの第二変位領域においてバネ力を発生する。
【００２８】
この構成によれば、リンク機構が折畳姿勢から伸長姿勢に変位される途中で、リンク機構から駆動源に作用する負荷が急激に減少し、出力比が急激に増加した場合でも、リンク機構の中間姿勢から伸長姿勢までの第二変位領域ではコイルスプリングのバネ力からバネ定数の低い第二アシストスプリングのバネ力を差し引いた力を駆動源に作用させることで、駆動源に付与する負荷を増加させることができる。
【００２９】
請求項７に記載の遮光装置は、請求項１に記載の遮光装置において、前記スクリーンを巻き取るための巻取部材を備え、前記負荷付与手段は、前記巻取部材を前記スクリーンが巻き取られる方向に付勢するコイルスプリングと、前記リンク機構に設けられたリンク部材を前記スクリーンが展開される方向にそれぞれ付勢する第一アシストスプリング及び第二アシストスプリングと、を有して構成され、前記第一アシストスプリングは、前記リンク機構の折畳姿勢から前記折畳姿勢と伸長姿勢との中間姿勢までの第一変位領域においてバネ力を発生し、前記第二コイルスプリングは、前記リンク機構の前記折畳姿勢から前記伸長姿勢までの第二変位領域においてバネ力を発生することを特徴とする。
【００３０】
請求項７に記載の遮光装置では、負荷付与手段は、巻取部材をスクリーンが巻き取られる方向に付勢するコイルスプリングと、リンク機構に設けられたリンク部材をスクリーンが展開される方向にそれぞれ付勢する第一アシストスプリング及び第二アシストスプリングと、を有して構成されている。つまり、この構成では、コイルスプリングのバネ力から第一アシストスプリング及び第二アシストスプリングのバネ力を差し引いた力、又は、コイルスプリングのバネ力から第二アシストスプリングのバネ力を引いた力が駆動源に付与される負荷として作用する。
【００３１】
そして、第一アシストスプリングは、リンク機構の折畳姿勢から折畳姿勢と伸長姿勢との中間姿勢までの第一変位領域においてバネ力を発生し、第二アシストスプリングは、リンク機構の折畳姿勢から伸長姿勢までの第二変位領域においてバネ力を発生する。
【００３２】
この構成によれば、リンク機構が折畳姿勢から伸長姿勢に変位される途中で、リンク機構から駆動源に作用する負荷が急激に減少し、出力比が急激に増加した場合でも、リンク機構の中間姿勢から伸長姿勢までの第二変位領域ではコイルスプリングのバネ力から一方の第二アシストスプリングのバネ力を差し引いた力を駆動源に作用させることで、駆動源に付与する負荷を増加させることができる。
【発明を実施するための最良の形態】
【００３３】
はじめに、本発明の一実施形態に係る遮光装置１０の構成について説明する。
【００３４】
図１には、本発明の一実施形態に係る遮光装置１０の全体構成を示す斜視図、図２には、この遮光装置１０の全体構成を示す正面図、図３には、この遮光装置１０の要部拡大断面図がそれぞれ示されている。なお、図１では、スクリーン１２が展開途中とされたときにおける状態が示されており、図２，図３では、スクリーン１２が巻取部材２６に巻き取られて収納されたときにおける状態が示されている。
【００３５】
本発明の一実施形態に係る遮光装置１０は、例えば、乗用自動車等のリアガラスの遮光を行うために車両に搭載されるものであり、図１，図２に示されるように、スクリーン１２と、巻取機構１４と、リンク機構１６と、ベース部材１８と、駆動機構２０と、コントローラ２２と、を主要な構成として備えている。
【００３６】
スクリーン１２は、例えば遮光性を有する布材等により構成されており、シート状に形成されている。このスクリーン１２の一端は、後述する巻取部材２６に固定されている。スクリーン１２の展開側の幅方向縁部１２Ａには、スクリーン支持部材２４が設けられている。スクリーン支持部材２４は、スクリーン１２の幅方向縁部１２Ａの長手方向に沿って設けられており、スクリーン１２は、その幅方向縁部１２Ａがスクリーン支持部材２４に支持されることによって幅方向に広げられた状態に維持されている。
【００３７】
巻取機構１４は、図３に示されるように、巻取部材２６と、負荷付与手段としての第一コイルスプリング２８及び第二コイルスプリング２９と、カバー部材３０と、を有して構成されている。巻取部材２６は、スクリーン１２を巻き取るためのものであり、長手円筒状に構成されている。巻取部材２６の両端側には、ホルダキャップ３２，３４がそれぞれ一体的に嵌合されており、このホルダキャップ３２，３４には、シャフト３６，３８がそれぞれ回動可能に保持されている。シャフト３６，３８は、ベース部材１８（図１参照）に設けられたステー４０にそれぞれ一体的に固定されている。そして、この構成により、巻取部材２６は、後述するベース部材１８に対し回動可能とされている。
【００３８】
第一コイルスプリング２８及び第二コイルスプリング２９は、その内部に一方のシャフト３６が挿入された状態で、巻取部材２６の内部に配置されている。第一コイルスプリング２８は、その一端２８Ａがシャフト３６に固定され、その他端２８Ｂがホルダキャップ３２に固定されている。同様に、第二コイルスプリング２９は、その一端２９Ａがシャフト３６に固定され、その他端２９Ｂがホルダキャップ３２に固定されている。
【００３９】
また、この第一コイルスプリング２８及び第二コイルスプリング２９は、上述の如くシャフト３６及びホルダキャップ３２に別々に固定されることで、巻取部材２６に対し互いに並列に接続されている。そして、第一コイルスプリング２８及び第二コイルスプリング２９は、巻取部材２６の内部に配置されており、スクリーン１２が巻取部材２６から展開されたときには径方向に拡径されてその捩り力により巻取部材２６をスクリーン１２が巻き取られる方向にそれぞれ付勢する。
【００４０】
また、この第一コイルスプリング２８及び第二コイルスプリング２９は、そのバネ定数、巻き数、有効長、配置等をそれぞれ最適に（バランス良く）設定することで、リンク機構１６のうちのロアリンク４６の回動角度θ（図１参照）が０°≦θ＜６０°となる第一変位領域よりも、このロアリンク４６の回動角度θが６０°≦θ≦９０°となる第二変位領域において強い捩り力（バネ力）を発生するように構成されている。
【００４１】
カバー部材３０（サイレンサ）は、コイルスプリングと巻取部材２６の干渉を防止する機能を果たすものであり、チューブ状（円筒状）に構成されている。このカバー部材３０は、その内部に第一コイルスプリング２８が配置されると共に、巻取部材２６の内部に配置されている。
【００４２】
リンク機構１６は、図１，図２に示されるように、リンクロッド４２と、リンク部材としてのレバー４４と、ロアリンク４６と、アッパリンク４８と、を備えて構成されている。各リンクロッド４２は、その一端が後述するリンクレバー５８の各回動端とそれぞれ回動可能に連結され、その他端が各レバー４４の回動端とそれぞれ回動可能に連結されている。
【００４３】
また、各レバー４４は、ベース部材１８の両端にそれぞれ回動可能に連結されており、各ロアリンク４６は、各レバー４４の回動軸に一体的に固定されて各レバー４４と共に回動されるようになっている。各アッパリンク４８は、中間ジョイント５０を介して各ロアリンク４６の回動端に連結されており、その回動端は上述のスクリーン支持部材２４の両端にそれぞれ回動可能に連結されている。
【００４４】
ベース部材１８は、上述の巻取部材２６の長手方向に沿って設けられている。ベース部材１８の両端側には、アシストスプリング５２（バランススプリング）がそれぞれ設けられている。各アシストスプリング５２は、その一端がベース部材１８に係止され、その他端が各レバー４４の回動端に係止されている。この各アシストスプリング５２は、レバー４４をスクリーン１２が展開される方向（図１の矢印Ｒ３方向）に付勢している。
【００４５】
駆動機構２０は、駆動源としての駆動モータ５６と、リンクレバー５８と、支持部材６０と、を備えて構成されており、ベース部材１８の中央部に配置されている。駆動モータ５６は、支持部材６０によってベース部材１８に固定されており、リンクレバー５８は、支持部材６０に回動可能に支持されている。また、リンクレバー５８は、駆動モータ５６の出力軸６２と接続されており、この駆動モータ５６の出力軸６２と共に回動されるようになっている。なお、本実施形態では、駆動モータ５６及びリンク機構１６により本発明に係る展開手段が構成されている。
【００４６】
コントローラ２２は、例えば、ＣＰＵ、ＲＯＭ、ＲＡＭ等が実装された電気回路を備えて構成されており、外部制御装置から出力された制御信号を入力して駆動モータ５６の制御を行うように構成されている。
【００４７】
次に、本発明の一実施形態に係る遮光装置１０の作用及び効果について説明する。
【００４８】
本発明の一実施形態に係る遮光装置１０では、図１に示される駆動モータ５６がコントローラ２２からの制御信号（正転信号）を入力して正転し、リンクレバー５８がＲ１方向に回動されると、このリンクレバー５８とリンクロッド４２を介して連結されたレバー４４がＲ３方向に回動される。また、レバー４４がＲ３方向に回動されると、このレバー４４に固定されたロアリンク４６がＲ５方向に回動され、このロアリンク４６と中間ジョイント５０を介して連結されたアッパリンク４８がＲ７方向に回動される。そして、このロアリンク４６及びアッパリンク４８の作動に伴い、スクリーン１２が上側に引っ張られ、これにより、スクリーン１２が巻取部材２６から展開される。
【００４９】
また、このとき、巻取部材２６の内部に配置された第一コイルスプリング２８及び第二コイルスプリング２９は、スクリーン１２が巻取部材２６から展開されたときには径方向に拡径されてその捩り力により巻取部材２６をスクリーン１２が巻き取られる方向に付勢する。従って、スクリーン１２の弛みが防止されてスクリーン１２が展張された状態となる。そして、ロアリンク４６及びアッパリンク４８が回動されて、ロアリンク４６とアッパリンク４８とが垂直方向に沿って直線状となると、リンク機構１６が伸長姿勢とされる。また、リンク機構１６が伸長姿勢とされると、スクリーン１２が例えば車両のリアガラス全体を覆う展開状態とされる。
【００５０】
一方、駆動モータ５６がコントローラ２２からの制御信号（反転信号）を入力して反転し、リンクレバー５８がＲ２方向に回動されると、このリンクレバー５８とリンクロッド４２を介して連結されたレバー４４がＲ４方向に回動される。また、レバー４４がＲ４方向に回動されると、このレバー４４に固定されたロアリンク４６がＲ６方向に回動され、このロアリンク４６と中間ジョイント５０を介して連結されたアッパリンク４８がＲ８方向に回動される。
【００５１】
また、このときには、第一コイルスプリング２８及び第二コイルスプリング２９の捩り力により巻取部材２６がスクリーン１２を巻き取る方向に回転されるので、これにより、スクリーン１２が巻取部材２６に巻き取られる。そして、図２に示されるように、ロアリンク４６及びアッパリンク４８が回動されて、ロアリンク４６とアッパリンク４８とが略水平方向に重なった状態となると、リンク機構１６が折畳姿勢とされる。また、リンク機構１６が折畳姿勢とされると、スクリーン１２が巻取部材２６に完全に巻き取られた収納状態とされる。
【００５２】
ところで、この種のリンク機構１６の折畳姿勢から伸長姿勢への変位に伴ってスクリーン１２を展開させるように構成された遮光装置１０では、リンク機構１６の構造上、リンク機構１６が折畳姿勢から伸長姿勢に変位される途中（例えば、ロアリンク４６の回動角度θ＝６０°付近）で、リンク機構１６から駆動モータ５６に作用する負荷が急激に減少する。そして、この場合には、リンク機構１６から駆動モータ５６に作用する負荷に対する駆動モータ５６の出力の割合を出力比とすると、図８の実線のグラフＧ１で示される如く、この出力比が急激に増加する。
【００５３】
ここで、仮に、図８の一点鎖線で示されるグラフＧ２の如く、第一コイルスプリング２８及び第二コイルスプリング２９による負荷がロアリンク４６の回動角度θの増加にほぼ正比例して増加されるように構成された場合には、リンク機構１６が折畳姿勢から伸長姿勢に変位される途中（例えば、ロアリンク４６の回動角度θ＝６０°付近）で、上述の出力比（図８の実線で示されるグラフＧ１）と第一コイルスプリング２８及び第二コイルスプリング２９の負荷（図８の一点鎖線で示されるグラフＧ２）との差が大きくなり、このため、駆動モータ５６の駆動速度が急激に高まり、駆動モータ５６から発せられる駆動音が急激に高音に変化する虞がある。
【００５４】
しかしながら、装置全体の感性品質を向上させるためには、駆動モータ５６の駆動速度が急激に高まることを抑制し、駆動モータ５６から発せられる駆動音が急激に高音に変化することを防止する必要がある。
【００５５】
この点、本発明の一実施形態に係る遮光装置１０では、巻取部材２６を付勢するための第一コイルスプリング２８及び第二コイルスプリング２９は、そのバネ定数、巻き数、有効長、配置等がそれぞれ最適に設定されることで、ロアリンク４６の回動角度θ（図１参照）が０°≦θ＜６０°となる第一変位領域よりも、このロアリンク４６の回動角度θが６０°≦θ≦９０°となる第二変位領域において強い捩り力（バネ力）を発生するように構成されている。
【００５６】
従って、上述のように、リンク機構１６が折畳姿勢から伸長姿勢に変位される途中（例えば、ロアリンク４６の回動角度θ＝６０°付近）で、リンク機構１６から駆動モータ５６に作用する負荷が急激に減少し、これに伴い、出力比が急激に増加した場合でも、第一コイルスプリング２８及び第二コイルスプリング２９が上述の出力比の増加に合わせて駆動モータ５６に付与する負荷を増加する（図４の一点鎖線のグラフを参照）。
【００５７】
この結果、リンク機構１６が折畳姿勢から伸長姿勢に変位される間、上述の出力比（図４の実線で示されるグラフＧ１）と第一コイルスプリング２８及び第二コイルスプリング２９の負荷（図４の一点鎖線で示されるグラフＧ２）との差をほぼ一定とすることができる（図４参照）。これにより、駆動モータ５６の駆動速度の高まりを抑制し、駆動モータ５６から発せられる駆動音を一定に保つことができる。
【００５８】
このように、本発明の一実施形態に係る遮光装置１０によれば、駆動モータ５６から発せられる駆動音を一定に保つことができるので、駆動モータ５６から発せられる駆動音の変化を防止して、装置全体の感性品質を向上させることができる。
【００５９】
また、本発明の一実施形態に係る遮光装置１０によれば、第一コイルスプリング２８及び第二コイルスプリング２９を用いるだけであるので、製造コストの増加を招くこと無く、装置全体の感性品質を向上させることができる。
【００６０】
次に、本発明の一実施形態に係る遮光装置１０の変形例について説明する。
【００６１】
上記実施形態では、第一コイルスプリング２８及び第二コイルスプリング２９が、巻取部材２６に対し並列に接続されて、ロアリンク４６の回動角度θが０°≦θ＜６０°となる第一変位領域よりも、このロアリンク４６の回動角度θが６０°≦θ≦９０°となる第二変位領域において強い捩り力（バネ力）を発生するように構成されていたが、次のように構成されていても良い。
【００６２】
すなわち、第一コイルスプリング２８は、ロアリンク４６の回動角度θが０°≦θ＜６０°となる第一変位領域において捩り力を発生し、第二コイルスプリング２９は、第一コイルスプリング２８よりもバネ定数が高く構成されて、ロアリンク４６の回動角度θが６０°≦θ≦９０°となる第二変位領域において捩り力を発生するように構成されていても良い。すなわち、バネ定数の低い第一コイルスプリング２８が作動される状態からバネ定数の高い第二コイルスプリング２９が作動される状態に切り替えても良い。
【００６３】
このように構成されていても、リンク機構１６が折畳姿勢から伸長姿勢に変位される途中（例えば、ロアリンク４６の回動角度θ＝６０°付近）で、リンク機構１６から駆動モータ５６に作用する負荷が急激に減少し、出力比が急激に増加した場合には、第一コイルスプリング２８よりもバネ定数が高く構成された第二コイルスプリング２９の捩り力を駆動モータ５６に作用させることで、駆動モータ５６に付与する負荷を増加させることができる。
【００６４】
また、上記変形例では、バネ定数の低い第一コイルスプリング２８が作動される状態からバネ定数の高い第二コイルスプリング２９が作動される状態に切り替えていたが、次のようにしても良い。
【００６５】
すなわち、第一コイルスプリング２８は、ロアリンク４６の回動角度θが０°≦θ≦９０°となる第一変位領域において捩り力を発生し、第二コイルスプリング２９は、ロアリンク４６の回動角度θが６０°≦θ≦９０°となる第二変位領域において捩り力を発生するように構成されていても良い。すなわち、第一コイルスプリング２８（一つのバネ）が作動される状態から第一コイルスプリング２８及び第二コイルスプリング２９（二つのバネ）が作動される状態に切り替えても良い。
【００６６】
このように構成されていても、リンク機構１６が折畳姿勢から伸長姿勢に変位される途中（例えば、ロアリンク４６の回動角度θ＝６０°付近）で、リンク機構１６から駆動モータ５６に作用する負荷が急激に減少し、出力比が急激に増加した場合には、第一コイルスプリング２８の捩り力に第二コイルスプリング２９の捩り力を加えた力を駆動モータ５６に作用させることで、駆動モータ５６に付与する負荷を増加させることができる。
【００６７】
また、上記実施形態では、第一コイルスプリング２８及び第二コイルスプリング２９によって駆動モータ５６に付与する負荷を変動させるように構成されていたが、図５乃至図７に示される変形例のように構成されていても良い。
【００６８】
すなわち、この変形例では、図５に示されるように、巻取部材２６の内部に一つのコイルスプリング７４が配置されている。このコイルスプリング７４は、その一端７４Ａがシャフト３６に固定され、その他端７４Ｂがホルダキャップ３２に固定されている。そして、このコイルスプリング７４は、スクリーン１２が巻取部材２６から展開されたときには径方向に拡径されてその捩り力により巻取部材２６をスクリーン１２が巻き取られる方向に付勢する。
【００６９】
また、この変形例では、図７，図８に示されるように、ベース部材１８の両端側（片方のみ図示）には、第一アシストスプリング７６及び第二アシストスプリング７８が設けられている。第一アシストスプリング７６は、その一端がベース部材１８の係止部８０に係止され、その他端がスライダ８２に係止されている。また、第二アシストスプリング７８は、その一端がスライダ８２に係止され、その他端がレバー４４の回動端に係止されている。この第二アシストスプリング７８は、第一アシストスプリング７６よりもバネ定数が低く構成されている。また、スライダ８２は、ベース部材１８に幅方向に沿って設けられた案内溝８４によって案内されることで、ベース部材１８に対し幅方向に移動可能とされている。
【００７０】
また、この第一アシストスプリング７６及び第二アシストスプリング７８は、上述の如くレバー４４とスライダ８２との間、スライダ８２とベース部材１８との間にそれぞれ固定されることで、レバー４４に対し互いに並列に接続されている。そして、第一アシストスプリング７６及び第二アシストスプリング７８は、レバー４４をスクリーン１２が展開される方向に付勢している。
【００７１】
また、第一アシストスプリング７６は、ロアリンク４６の回動角度θ（図１参照）が０°≦θ＜６０°となる第一変位領域においてバネ力を発生し、第二アシストスプリング７８は、ロアリンク４６の回動角度θが６０°≦θ≦９０°となる第二変位領域においてバネ力を発生する。
【００７２】
要するに、この第一アシストスプリング７６及び第二アシストスプリング７８は、ロアリンク４６の回動角度θが０°≦θ＜６０°となる第一変位領域では、ロアリンク４６の回動角度θが６０°≦θ≦９０°となる第二変位領域よりも強いバネ力を発生する。
【００７３】
そして、この変形例では、コイルスプリング７４のバネ力から第一アシストスプリング７６又は第二アシストスプリング７８のバネ力を差し引いた力が駆動モータ５６に付与される負荷として作用する。なお、この変形例では、コイルスプリング７４と第一アシストスプリング７６及び第二アシストスプリング７８により本発明に係る負荷付与手段が構成されている。
【００７４】
この構成によれば、リンク機構１６が折畳姿勢から伸長姿勢に変位される途中（例えば、ロアリンク４６の回動角度θ＝６０°付近）で、リンク機構１６から駆動モータ５６に作用する負荷が急激に減少し、出力比が急激に増加した場合でも、ロアリンク４６の回動角度θが６０°≦θ≦９０°となる第二変位領域ではコイルスプリング７４のバネ力からバネ定数の低い第二アシストスプリング７８のバネ力を差し引いた力を駆動モータ５６に作用させることで、駆動モータ５６に付与する負荷を増加させることができる。このように、バネ定数の高い第一アシストスプリング７６が作動される状態からバネ定数の低い第二アシストスプリング７８が作動される状態に切り替えても良い。
【００７５】
また、上記変形例では、バネ定数の高い第一アシストスプリング７６が作動される状態からバネ定数の低い第二アシストスプリング７８が作動される状態に切り替えていたが、次のようにしても良い。
【００７６】
すなわち、第一アシストスプリング７６は、ロアリンク４６の回動角度θが０°≦θ＜６０°となる第一変位領域においてバネ力を発生し、第二アシストスプリング７８は、ロアリンク４６の回動角度θが０°≦θ≦９０°となる第二変位領域においてバネ力を発生するようにしても良い。すなわち、第一アシストスプリング７６及び第二アシストスプリング７８（二つのバネ）が作動される状態から第二アシストスプリング７８（一つのバネ）が作動される状態に切り替えても良い。
【００７７】
このように構成されていても、リンク機構１６が折畳姿勢から伸長姿勢に変位される途中（例えば、ロアリンク４６の回動角度θ＝６０°付近）で、リンク機構１６から駆動モータ５６に作用する負荷が急激に減少し、出力比が急激に増加した場合には、ロアリンク４６の回動角度θが６０°≦θ≦９０°となる第二変位領域においてコイルスプリング７４のバネ力から一方の第二アシストスプリング７８のバネ力を差し引いた力を駆動モータ５６に作用させることで、駆動モータ５６に付与する負荷を増加させることができる。
【図面の簡単な説明】
【００７８】
【図１】本発明の一実施形態に係る遮光装置の全体構成を示す斜視図である。
【図２】本発明の一実施形態に係る遮光装置の全体構成を示す正面図である。
【図３】本発明の一実施形態に係る遮光装置の要部拡大断面図である。
【図４】本発明の一実施形態に係る遮光装置の出力比とバネ力との関係を示す説明図である。
【図５】本発明の一実施形態に係る遮光装置の変形例を示す図である。
【図６】本発明の一実施形態に係る遮光装置の変形例を示す図である。
【図７】本発明の一実施形態に係る遮光装置の変形例を示す図である。
【図８】出力比とバネ力との関係を示す参考図である。
【符号の説明】
【００７９】
１０…遮光装置、１２…スクリーン、１２Ａ…幅方向縁部、１４…巻取機構、１６…リンク機構（展開手段の一部）、１８…ベース部材、２０…駆動機構、２２…コントローラ、２４…スクリーン支持部材、２６…巻取部材、２８…第一コイルスプリング（負荷付与手段の一部）、２９…第二コイルスプリング（負荷付与手段の一部）、３０…カバー部材、３２，３４…ホルダキャップ、３６，３８…シャフト、４０…ステー、４２…リンクロッド、４４…レバー（リンク部材）、４６…ロアリンク、４８…アッパリンク、５０…中間ジョイント、５２…アシストスプリング、５６…駆動モータ（駆動源、展開手段の一部）、５８…リンクレバー、６０…支持部材、６２…出力軸、７４…コイルスプリング（負荷付与手段の一部）、７６…第一アシストスプリング（負荷付与手段の一部）、７８…第二アシストスプリング（負荷付与手段の一部）、８０…係止部、８２…スライダ、８４…案内溝
【図１】
2008230307.tif 000003
【図２】
2008230307.tif 000004
【図３】
2008230307.tif 000005
【図４】
2008230307.tif 000006
【図５】
2008230307.tif 000007
【図６】
2008230307.tif 000008
【図７】
2008230307.tif 000009
【図８】
2008230307.tif 000010